(57)【要約】      （修正有）【課題】著作権保護が可能な光情報記録媒体と光情報記録媒体への情報記録方法並びに記録装置を提案する。【解決手段】レーザ光によってデータの記録が可能な記録領域を有しており、前記記録領域がユーザデータ領域と、管理領域と、を備えている光情報記録媒体において、前記管理領域が、前記ユーザデータ領域に記録するフォーマットを判別させ、その判別結果に従って当該フォーマットを所定の信号方式に変換して記録させる動作を行わせる情報を備える記録フォーマット管理領域と、前記ユーザデータ領域に記録するときのレーザ光の記録条件の制御を行わせる情報を備える記録条件管理領域と、前記光情報記録媒体が第三者によって認証されたものであるかどうかを判別する動作をさせる情報を備える認証識別領域とが書き込まれている光情報記録媒体を提案する。【選択図】図１
2009129520.tif 000002
【特許請求の範囲】
【請求項１】
ユーザによってユーザデータの記録が可能なユーザデータ領域と、当該ユーザデータ領域にデータを記録するときにその記録信号を制御するために必要な情報を有する管理領域と、を備えたレーザ光によってユーザデータが記録される光情報記録媒体において、  前記管理領域は、  前記ユーザデータ領域に記録するフォーマットを判別させ、その判別結果に従って当該フォーマットを所定の信号方式に変換して記録させる動作を行わせる情報を備える記録フォーマット管理領域と、  前記ユーザデータ領域に記録するときのレーザ光の記録条件の制御を行わせる情報を備える記録条件管理領域と、  前記光情報記録媒体が第三者によって認証されたものであるかどうかを判別する動作をさせる情報を備える認証識別領域とを備えることを特徴とする光情報記録媒体。
【請求項２】
前記認証識別領域は、複数種類の認証を示す情報を備えることができることを特徴とする請求項１に記載の光情報記録媒体。
【請求項３】
前記認証識別領域に設けられた情報は、当該認証識別領域で判別された結果に従って所定のソフトウェアでのみユーザデータ領域に記録をさせる動作を行わせるものであることを特徴とする請求項１または２に記載の光情報記録媒体。
【請求項４】
前記記録条件管理領域に設ける情報は製造者を示す情報および/または記録ストラテジを示す情報であることを特徴とする請求項１乃至３に記載の光情報記録媒体。
【請求項５】
前記記録フォーマット管理領域内にある当該動作を行わせる情報は、ピット列もしくは案内溝に設けられたウォブルまたはランドプレピットであることを特徴とする請求項１乃至４に記載の光情報記録媒体。
【請求項６】
前記記録条件管理領域の当該制御を行わせる情報、または、前記認証識別領域内の当該判別を行わせる情報は、ピット列であることを特徴とする請求項１乃至５に記載の光情報記録媒体。
【請求項７】
前記記録フォーマット管理領域内の動作を行わせる情報と、前記記録条件管理領域内の制御を行わせる情報および前記認証識別領域内の判別を行わせる情報は、異なる形式で設けられていることを特徴とする請求項１乃至６に記載の光情報記録媒体。
【請求項８】
前記認証識別領域を前記記録条件管理領域と同一領域若しくは前記記録条件管理領域内に設け、同じ信号を記録条件の管理および認証識別に用いることを特徴とする請求項１乃至７に記載の光情報記録媒体。
【請求項９】
前記記録フォーマット管理領域で管理されるフォーマットはＤＶＤフォーマットであることを特徴とする請求項１乃至８に記載の光情報記録媒体。
【請求項１０】
前記記録フォーマット管理領域で管理される所定の信号方式への変換は、著作権保護用の信号方式への変換であることを特徴とする請求項１乃至８に記載の光情報記録媒体。
【請求項１１】
ユーザデータの記録が可能なユーザデータ領域と、当該ユーザデータ領域にデータを記録するときにその記録の条件を制御するために必要な情報を有する管理領域とを備えている光情報記録媒体にレーザ光によって所定の情報をユーザデータ領域に情報を記録する方法において、  前記管理領域に設けられた記録フォーマット管理領域の情報を読み取ることでユーザデータ領域にデータの記録するときのフォーマットを判別し、記録条件管理情報領域内の情報および/または認証識別領域内の情報を読み取り照合した後、当該照合結果に従って、ユーザデータを所定の信号方式に変換して前記光情報記録媒体の前記ユーザデータ領域に記録することを特徴とする光情報記録媒体へのデータの記録方法。
【請求項１２】
前記ユーザデータ領域に情報を記録するときに、記録条件管理情報領域内の情報に従って記録条件を制御することを特徴とする請求項１１に記載の光情報記録媒体へのデータの記録方法。
【請求項１３】
前記認証識別領域に設けられた情報で判別された結果に従って所定のソフトウェアでのみユーザデータ領域に記録をさせる動作を行わせるものであることを特徴とする請求項１１または１２に記載の光情報記録媒体へのデータの記録方法。
【請求項１４】
前記フォーマットはＤＶＤフォーマットであることを特徴とする請求項１１に記載の光情報記録媒体へのデータの記録方法。
【請求項１５】
前記照合の結果行われる所定の信号方式への変換は、著作権保護用の信号方式への変換であることを特徴とする請求項１１または１２に記載の光情報記録媒体へのデータの記録方法。
【請求項１６】
ユーザデータの記録が可能なユーザデータ領域と、当該ユーザデータ領域にデータを記録するときにその記録の条件を制御するために必要な情報を有する管理領域とを備えている光情報記録媒体にレーザ光によって所定の情報をユーザデータ領域に情報を記録する装置において、  前記管理領域に設けられたフォーマット管理領域の情報を読み取ることでユーザデータ領域にデータの記録するときのフォーマットを判別し、記録条件管理情報領域内の情報および/または認証識別領域内の情報を読み取り照合した後、当該照合結果に従って、ユーザデータを所定の信号方式に変換して前記光情報記録媒体の前記ユーザデータ領域に記録することを特徴とする光情報記録装置。
【請求項１７】
前記ユーザデータ領域に情報を記録するときに、記録条件管理情報領域内の情報に従って記録条件を制御することを特徴とする請求項１６に記載の光情報記録装置。
【請求項１８】
前記認証識別領域に設けられた情報で判別された結果に従って所定のソフトウェアでのみユーザデータ領域に記録をさせる動作を行わせるものであることを特徴とする請求項１６または１７に記載の光情報記録装置。
【請求項１９】
前記フォーマットはＤＶＤフォーマットであることを特徴とする請求項１６に記載の光情報記録装置。
【請求項２０】
前記照合の結果行われる所定の信号方式への変換は、著作権保護用の信号方式への変換であることを特徴とする請求項１６または１７に記載の光情報記録装置。 
【発明の詳細な説明】
【技術分野】
【０００１】
本発明は、追記型ＤＶＤ（ＤＶＤ±Ｒ）、追記型ＨＤ  ＤＶＤ（ＨＤ  ＤＶＤ−Ｒ）、追記型ブルーレイディスク（ＢＤ−Ｒ）等の光情報記録媒体及びこのような光情報記録媒体へ情報を記録する方法に関するもので、特に著作権保護が可能な光情報記録媒体とその記録方法に関するものである。
【背景技術】
【０００２】
ＤＶＤ±Ｒ、ＨＤ  ＤＶＤ−Ｒ、ＢＤ−Ｒのような光情報記録媒体は、大量のデジタルデータを比較的安価で記録再生することができるため、広く普及してきている。反面、このように手軽にデータがコピーできるようになると、音楽ＣＤやビデオ等の違法コピー品が市場に出回るおそれが出てきている。また、近年は映像や音楽のネット配信が行われるようになってきており、著作権保護のための手段が必要になってきている。
【０００３】
このような著作権保護の手段としては、例えば特開２００２−１５７７４０号公報に開示された手段や特開２００２−１１００６２号公報に開示された手段等、各社から様々なものが提案されてきている。これらの手段は、記録領域の一部に暗号鍵データや複製防止用のデータを書き込む等の方法で、著作権保護を行うものである。
【０００４】
【特許文献１】特開２００２−１５７７４０号公報
【特許文献２】特開２００２−１１００６２号公報
【発明の開示】
【発明が解決しようとする課題】
【０００５】
従来、著作権保護される必要のあるユーザデータを記録する場合には、著作権保護の手段が採られる。通常、上記に延べたように暗号鍵データや複製防止用のデータを記録領域に書き込むことによってその著作権管理等を行う。しかし、いままでの手段によれば、記録媒体（たとえば光ディスク）の品質については何ら考慮されていない。したがって、品質の悪いディスクであっても品質が良いディスクであっても、全く同様な手段で記録がなされる。しかしながら、品質が悪いディスクに記録する場合には、せっかく著作権管理され記録されるようにした情報であっても、記録条件が適切ではないために、その記録の際に記録エラーを起こして記録できなかったり、記録の後に再生品質が悪かったり、場合によっては、時間の経過と共に信号が劣化して再生できなくなるおそれがある。
【０００６】
また、ディスクの品質の安定化のために認証制度を設けることがあるが、著作権管理のシステムとは関連性のない運用がされており、たとえ、認証されなかったディスクであっても、著作権保護が必要なユーザデータを記録することは技術的に可能であるのが現状である。
【０００７】
さらには、特殊用途でさらに厳格な著作権保護の必要があったり、また、大容量の管理されるべき重要なユーザデータを光情報記録媒体に記録して特殊な動作で作動させるプログラムで利用したりする場合には、データの保護をしながら、かつ、光情報記録媒体の特性を配慮しながら確実に記録し再生できるようにする必要がある。
【０００８】
本発明は、著作権保護のためのシステムによって例示されるように、ユーザデータの管理を行いながら、かつ、光情報記録媒体の品質も考慮した記録を行い、ユーザデータの適切な管理を行うことができる光情報記録媒体およびそのシステムを提供することを目的とする。
【課題を解決するための手段】
【０００９】
本発明では、第一の解決手段として、ユーザによってユーザデータの記録が可能なユーザデータ領域と、当該ユーザデータ領域にデータを記録するときにその記録信号を制御するために必要な情報を有する管理領域と、を備えたレーザ光によってユーザデータが記録される光情報記録媒体において、前記管理領域が、前記ユーザデータ領域に記録するフォーマットを判別させ、その判別結果に従って当該フォーマットを所定の信号方式に変換して記録させる制御を行わせる情報を備える記録フォーマット管理領域と、前記ユーザデータ領域に記録するときのレーザ光の記録条件を制御する情報を備える記録条件管理領域と、前記光情報記録媒体が第三者によって認証されたものであるかどうかを判別する動作をさせる情報を備える認証識別領域とを備える光情報記録媒体を提案する。
【００１０】
上記第一の解決手段によれば、光情報記録媒体のフォーマット自体を著作権保護のキーに用いるので、記録領域に書き込まれたデータを丸ごとコピーされても、異なる光情報記録媒体ではデータの読み取りができないようにすることが可能になる。また、光情報記録媒体の記録条件をキーに用いることによって、記録品質を考慮しつつ著作権保護が可能になる。ここで、「ユーザデータ領域」とはユーザが記録しようとする情報、例えば音楽データ、映像データ、その他ファイル等が記録される領域を言う。また、「管理領域」は、ユーザデータ領域以外の記録領域を指し、リードイン領域、リードアウト領域や、リードイン領域より内周側の記録管理領域、さらにウォブルやランドプレピットを含む。
【００１１】
これらの領域は、管理領域のうちの何れかの領域に割り当てられるが、その場合、例えば記録条件管理領域と認証識別領域が、同じ領域に割り当てられるようにしても良い。また、認証識別領域を記録条件管理領域内に設けても良い。
【００１２】
また、本発明では第ニの解決手段として、上記第一の解決手段に加えて、前記認証識別領域が複数種類の認証を示す情報を備えることができる光情報記録媒体を提案する。上記第二の解決手段によれば、異なる形式による情報を同時に備えることや、毎回異なる認証により複数の情報が書き込まれることによって、著作権保護が可能になる。
【００１３】
また、本発明では第三の解決手段として、上記第一及び第二の解決手段に加えて、前記認証識別領域に設けられた情報が当該認証識別領域で判別された結果に従って所定のソフトウェアでのみユーザデータ領域に記録をさせる動作を行わせるものである光情報記録媒体を提案する。上記第三の解決手段によれば、専用のソフトウェアでのみ記録を行うようにするので、通常の記録装置では記録できないようにすることが可能になり、著作権保護が可能になる。
【００１４】
また、本発明では第四の解決手段として、上記第一〜第三の解決手段に加えて、前記記録条件管理領域に設ける情報が製造者を示す情報および/または記録ストラテジを示す情報である光情報記録媒体を提案する。上記第四の解決手段によれば、ユーザデータの管理を行いながら光情報記録媒体の記録品質を良好にすることができる。
【００１５】
また、本発明では第五の解決手段として、上記第一〜第四の解決手段に加えて、前記記録フォーマット管理領域内の動作を行わせる情報と、前記記録条件管理領域内の制御を行わせる情報および前記認証識別領域内の判別を行わせる情報が、異なる形式で設けられている光情報記録媒体を提案する。ここでいう形式は、レーザ光による記録痕（ピット列）やウォブル、ランドプレピットの他、バーコードが挙げられる。記録フォーマット管理領域内の情報と、記録条件管理領域内の情報とを、異なる形式で書き込むことによって、記録領域に書き込まれたデータをまるごとコピーされても、著作権保護のキーまで全部コピーされることを防止することができる。この場合、記録フォーマット管理領域内の情報がウォブルまたはランドプレピットによって設けられているのが好ましい。
【００１６】
また、本発明では第六の解決手段として、上記第一〜第五の解決手段に加えて、前記記録フォーマット管理領域で管理される所定の信号方式への変換が著作権保護用の信号方式への変換である光情報記録媒体を提案する。上記第六の解決手段によれば、光情報記録媒体のフォーマット自体をキーとするため、ユーザデータ領域に記録されたデータを別の光情報記録媒体に丸ごとコピーしても、データを読み出せなくすることが可能になる。
【発明の効果】
【００１７】
本発明によれば、ユーザデータの管理を行いながら、かつ、光情報記録媒体の品質も考慮した記録を行い、ユーザデータの適切な管理を行うことができる。
【発明を実施するための最良の形態】
【００１８】
本発明の光情報記録媒体実施の形態を、ＤＶＤ−Ｒの場合を例にとって説明する。図１に示す光ディスク１５０は、円板状の透光性基板１５１と、この透光性基板１５１の一方の面上に形成された螺旋状の案内溝１５２と、この案内溝１５２が形成された面上に形成された記録層１５３と、この記録層１５３の上に形成された光反射層１５４と、この光反射層１５４の上に接着剤層１５５を介して貼り合わされたダミー基板１５６と、を有する。
【００１９】
透光性基板１５１は、直径が８ｃｍまたは１２ｃｍで、厚さが０．６ｍｍの円板状の基板である。この透光性基板１５１の一方の面には、図２に示すように、ウォブルを有する螺旋状の案内溝１５２が形成され、隣接する案内溝１５２間にランドＬＮが設けられている。案内溝１５２及びランドＬＮは、トラックピッチ０．７１μｍ〜０．７７μｍの範囲のトラックピッチで並んでいる。また、案内溝１５２は、図２に示すように、ウォブル周期ＷＳ、ウォブル幅ａで蛇行している。案内溝１５２の周波数はウォブル周期ＷＳによって決定される。このウォブル周期ＷＳは、通常のＤＶＤ−Ｒではウォブルの周波数（以下、ウォブル周波数とする）が１４０．６ｋＨｚになるような周期に設定される。ウォブルの振り幅ａはＤＶＤ−Ｒでは２０ｎｍ〜３５ｎｍの範囲である。また、ランドＬＮ上にはランドプレピットＬＰＰが形成されている。
【００２０】
また、案内溝１５２の上に形成された記録層１５３と、この記録層１５３の上に形成された光反射層１５４と、で記録領域が形成される。この記録領域は、レーザ光で記録層１５３にピットを形成することによって情報が記録される。この記録領域は、図３に示すようなフォーマットになっている。すなわち、内周側のリードインと外周側のリードアウトに挟まれたユーザデータ領域と、リードイン及びリードアウトを含めた非ユーザ領域と、に分けられる。音楽データや映像データ等は、ユーザデータ領域に記録される。管理領域は、リードイン、リードアウトの他、リードインより内周側に位置するＰＣＡ（Ｐｏｗｅｒ  Ｃａｌｉｂｒａｔｉｏｎ  Ａｒｅａ）やＲＭＡ（Ｒｅｃｏｒｄｉｎｇ  Ｍａｎａｇｅｍｅｎｔ  Ａｒｅａ）等の記録情報管理領域や、ウォブル、ランドプレプット等がある。なお、ＢＤ−Ｒは、例えば、ＤＶＤ−ＲのＲＭＡにあたるＯＰＣ（Ｏｐｔｉｍｕｍ  Ｐｏｗｅｒ  Ｃｏｎｔｒｏｌ）領域がリードインに含まれている等のように、管理領域の細かな配置が異なっているが、ユーザデータ領域がリードインとリードアウトに挟まれている点は変わらないので、大体似たようなフォーマットである。
【００２１】
本発明の光ディスク１５０の管理領域には、光ディスク１５０のフォーマットを判別するための情報が備えられている記録フォーマット管理領域１６０と、光ディスク１５０の記録条件を制御する情報が備えられている記録条件管理領域１６１と、光ディスク１５０が第三者によって認証されたものであるかどうかを判別するための情報が備えられている認証識別領域１６２と、を備えている。以下、それぞれの領域について説明する。
【００２２】
記録フォーマット管理領域１６０は、例えばアドレス等の位置情報のような、プリフォーマット情報等を備える領域である。このような領域は、例えばリードインにおける案内溝１５２のウォブルやランドプレピットＬＰＰによって割り当てられる。
【００２３】
案内溝１５２のウォブルは、ディスク回転用のスピンドルモータの制御の基準信号を形成するためのものである。また、ランドプレピットＬＰＰは、記録のためのアドレス情報やその他のディスク情報等を検出するためのものである。よって、案内溝１５２のウォブルおよびランドプレピットＬＰＰに基づいて特定された信号は、記録装置へ読み込むことができるものである。また、案内溝１５２のウォブルおよびランドプレピットＬＰＰは基板１５１に刻み込まれたようになっているので、記録領域に書き込まれたデータをまるごと複製されても案内溝１５２のウォブルおよびランドプレピットＬＰＰは複製されない。  
【００２４】
このような案内溝１
５２のウォブルおよびランドプレピットＬＰＰの特性を利用して、以下に述べる著作権保護の手法を実施することができる。著作権保護の手法として、専用のソフトウェアまたは専用のソフトウェアを組み込んだ記録装置でのみデータ記録を可能にする方法がある。これは、汎用の記録装置では記録可能な光ディスクとして認識できないが、専用のソフトウェアまたは専用のソフトウェアを組み込んだ記録装置では記録可能な光ディスクとして認識できるようにする方法である。
【００２５】
専用のソフトウェアまたは専用のソフトウェアを組み込んだ記録装置でのみデータ記録を可能にする方法としては、例えば案内溝１５２のウォブル周期ＷＳを変更してウォブル周波数を変えてしまう方法がある。通常のＤＶＤ−Ｒでは、前述のように、標準の線速度でウォブル周波数が１４０．６ｋＨｚになるようにウォブル周期ＷＳが設定されている。汎用の記録装置では、このウォブル周波数の光ディスクを記録可能な光ディスクとして認識する。しかし、ウォブル周波数を変更すると、汎用の記録装置は記録可能な光ディスクとして認識しなくなる。このことを利用して、専用の記録装置を、変更したウォブル周波数で記録可能な光ディスクとして認識できるようにすれば、専用のソフトウェアまたは専用のソフトウェアを組み込んだ記録装置でのみデータ記録を可能にすることができる。
【００２６】
このように、案内溝１５２のウォブルまたはランドプレピットＬＰＰのようなディスクに刻み込まれた記号を著作権保護のキーとして用いることによって、容易にコピーされないようにすることができる。
【００２７】
記録条件管理領域１６１は、例えば製造者ＩＤ（ＭＩＤ）が挙げられる。ＭＩＤは、光ディスクの記録領域のうちのリードインに設けられているプリライト領域（図示せず）、またはランドプレピットに記録されている。
【００２８】
このＭＩＤは、光ディスクの製造元がどこであるか、を示すものである。また、例えばレーザ光出力やパルス等の光ディスクの記録条件は、ＭＩＤに基づいて予め登録された記録条件あるいはＭＩＤに基づいて設定された評価基準によって最適化される。記録条件は、記録層に用いられる色素の物性や屈折率等の光学的な条件によって品質が異なる。光ディスクが正規品であれば、ＭＩＤと、光ディスクの最適な記録条件が一致するので、記録品質が良好なものとなる。
【００２９】
このように、ＭＩＤは光ディスクの品質を示す情報となり得るので、ＭＩＤによって特定される信号を読み込むことによって、品質を示す情報を得ることができる。さらには、このＭＩＤに対応する記録条件すなわち記録ストラテジも品質を示す情報となり得る。なお、品質を示す情報として、ＭＩＤとともに例えばロットナンバーを用いても良い。ロットナンバーは光ディスク１ロットにつき一つ付与されるので、ディスク自体の特定が可能になる。ＭＩＤとロットナンバーを併用するとより好ましい。
【００３０】
なお、光ディスク１５０の記録フォーマット管理領域１６０と、光ディスク１５０の記録条件管理領域１６１とは、異なる形式で情報が設けられているのが好ましい。いずれか一方がウォブル、ランドプレピットやバーコードのように、コピーされにくい形式であれば、ピット列による記録領域のデータを丸ごとコピーされても、著作権保護のキーが全部コピーされないようにすることができる。
【００３１】
認証識別領域１６２は、記録しようとするデータの配信元等から発行された認証を識別するための情報を備える領域である。このような特定の認証を識別する情報は、ディスク製造時に予め記録しておく方法、インターネットなどの通信回線を通じて配信元のサーバから読み込んでディスクの当該領域に書き込む方法または配信元が発行するＣＤ−ＲＯＭ等の外部記憶媒体から読み込んで書き込む方法等で書き込まれる。
【００３２】
特定の認証を識別する情報を外部から読み込む場合、例えばユーザがＩＤ、パスワードなどを入力して、これに基づいて認証を行い、配信元のサーバから送信されてくるものを読み込む方法がある。また、配信元が発行するプログラム等で作成された信号を特定の認証を識別する情報として読み込む方法がある。
【００３３】
この特定の認証を識別する情報は、複数種類書き込まれていても良い。例えばウォブルやランドプレピットによって予め書き込まれた情報や、外部から読み込んだ情報や、予め書き込まれている情報に基づいて作成された情報などを、同時に書き込んであっても良い。また、ユーザデータ領域に記録された情報を再生するたびに毎回異なる認証を受けたことを示す情報を書き込んだ結果、複数の情報が書き込まれていても良い。
【００３４】
また、特定の認証を識別する情報は、記録条件管理領域１６１と同じ領域または記録条件管理領域１６１内に書き込まれていても良い。この場合、記録条件管理領域内の情報を特定の認証を識別する情報と兼用しても良いし、複数の特定の認証を識別する情報のうちの一つを、記録するときのレーザ光の記録条件を制御する情報としても良い。
【００３５】
次に本発明の光情報記録媒体への情報記録方法に係る実施形態について説明する。図４は本発明の情報記録方法の一例を示すフローチャートである。本発明の情報記録方法は、光ディスク１５０の記録フォーマット管理領域に備えられている情報を記録装置に読み込んで適格かどうかを判断する第一ステップと、光ディスク１５０の記録条件管理領域１６１に備えられている品質を識別する情報を記録装置に読み込んで適格かどうかを判断する第二ステップと、光ディスク１５０の認証識別領域１６２に備えられている特定の認証を識別する情報を記録装置に読み込んで適格かどうかを判断する第三ステップと、第三ステップにおいて適格と判断した場合、ユーザデータの信号方式の変換すなわちユーザデータの暗号化を行う第四ステップと、信号方式が変換されたユーザデータを光ディスクのユーザデータ領域へ記録する第五ステップと、第一ステップ、第二ステップ及び第三ステップのいずれかにおいて不適格と判断した場合エラー表示をして記録不可であることを知らせる第六ステップと、を有する。なお、本発明の記録装置もこのフローチャートに基づいて動作する。
【００３６】
第一ステップは、光ディスク１５０のフォーマットを識別する信号を、記録フォーマット管理領域１６０から読み込むステップである。読み込まれた情報が認証を受けたものであるものと一致した場合、第二ステップへ進む。読み込まれた情報が認証を受けたものであるものと一致しなかった場合、第六ステップへ進む。
【００３７】
第二ステップは、光ディスク１５０の品質を識別する情報を記録条件管理領域１６１から読み込むステップである。記録条件管理領域１６１を走査し、記録装置に読み込む。読み込まれた情報が認証を受けたものであるものと一致した場合、第三ステップへ進む。読み込まれた情報が認証を受けたものであるものと一致しなかった場合、第六ステップへ進む。
【００３８】
第三ステップは、特定の認証を識別する情報を認証識別領域１６２から読み込むステップである。特定の認証を識別する情報がディスク製造時に予め記録されているものであれば、認証識別領域１６２を走査して記録装置に読み込む。また、外部から読み込む場合はインターネット経由または外部記憶媒体経由で読み込む。読み込まれた情報が認証を受けたものであるものと一致した場合、第四ステップへ進む。読み込まれた情報が認証を受けたものであるものと一致しなかった場合、第六ステップへ進む。
【００３９】
第四ステップは、ユーザデータの信号方式の変換すなわちユーザデータの暗号化を行うするステップである。記録フォーマット管理領域１６０の情報、記録条件管理領域１６１の情報及び認証識別領域１６２の情報のうち、いずれかに基づいて信号方式の変換すなわち暗号化を行う。この場合、２種以上の記号を組み合わせて、その記号の組み合わせに基づいて暗号化を行っても良い。なお、組み合わせる記号のうち少なくとも一種は、ウォブル、ランドプレピットまたはバーコード等の、レーザ光で形成されたピット列によって記録されているもの以外の記号を用いるのが好ましい。
【００４０】
第五ステップは、信号方式が変換されたユーザデータを光ディスクのユーザデータ領域へ記録するステップである。ここで記録されたユーザデータは、認証を受けたものであり、他の光ディスクにコピーしても読み出しができないようになっているものである。このようにして、著作権保護がなされたユーザデータを有する光ディスクが得られる、データの記録が終了したら、一連の処理を終了する。
【００４１】
以上のようなステップを経てデータが記録された光ディスクは、専用の再生装置または暗号キーをデコードする専用のソフトウェアを組み込み可能な再生装置で再生が可能である。なお、本発明の記録方法は、著作権管理の手法として既に広く行われているＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）と組み合わせても良い。また、本発明で提案した手段は、著作権保護の目的に限られるとはなく、その他のデータ管理等にも応用が可能である。
【００４２】
また、前述した実施の形態ではＤＶＤ−Ｒを例に説明したが、これに限らずＤＶＤ＋Ｒ、ＨＤ  ＤＶＤ−ＲやＢＤ−Ｒのような追記型光情報記録媒体に適用することができ、さらには書き換え型の光情報記録媒体にも適用可能である。また、前述した実施の形態では、光情報記録媒体のフォーマットを識別する情報、前記光情報記録媒体の品質を識別する情報または前記特定の認証を識別する情報を、ウォブルまたはランドプレピットの他、レーザ光によるピット列やバーコードにより書き込むことを説明したが、これら以外に例えば、ウォブル周期を一部変化させたり、予め基板にエンボス状のピットを形成させる形式を用いても差し支えなく、適宜組み合わせることができる。さらに、光情報記録媒体への情報記録方法においても各ステップを含んでいれば識別の順序等は適宜変更可能であり、各ステップを組み合わせることにより更に暗号化情報を得るようにしてもよい。
【図面の簡単な説明】
【００４３】
【図１】ＤＶＤ−Ｒの構造を示す概略図である。
【図２】ＤＶＤ−Ｒの案内溝を模式的に示す図である。
【図３】記録領域のフォーマットを模式的に示す図である。
【図４】本発明の記録方法を示すフローチャートである。
【符号の説明】
【００４４】
１５０  光ディスク      １５１  透光性基板      １５２  案内溝      １５３  記録層        １５４  光反射層      １５５  接着剤層      １５６  ダミー基板      １６０  記録フォーマット管理領域      １６１  記録条件管理領域      １６２  認証識別領域 
【図１】
2009129520.tif 000003
【図２】
2009129520.tif 000004
【図３】
2009129520.tif 000005
【図４】
2009129520.tif 000006